(57)【要約】      （修正有）【課題】表面に感光変色塗料を塗布し、テントやカーテンなどを形成することができる複合材を提供する。【解決手段】上層と、底層とを含んでなり、上層は、薄型フィルム層１に抗ＵＶ層２とを塗布して形成し、底層は、布に感温変色染料層４と、粘着層５とを塗布して形成し、上述の上層と底層とを互いに貼着加工して形成し、感温変色の特性を具えてなり、テント、或いはカーテンを形成することができる感温変色する複合材。【選択図】図３
0003169072.tif 000002
【実用新案登録請求の範囲】
【請求項１】
上層と、底層とを含んでなり、
上層は、薄型フィルム層と抗ＵＶ層とを塗布し、
底層は、布と感光変色染料層と、粘着層とを塗布し、
上述の上層と底層とを互いに貼着加工し、感温変色することを特徴とする複合材。
【請求項２】
前記薄型フィルムが、２軸延伸ポリエチレンテレフタレート・フィルムか、熱可塑性ポリウレタン樹脂フィルムか、延伸ポロテトラルフォロエチレン・フィルムか、熱可塑性エラストマー・フィルムか、ポリウレタン・フィルムか、ポリプロピロピレン・フィルムからなることを特徴とする請求項１に記載の複合材。
【請求項３】
前記感温変色の複合材を具えた構造体が、テント、或いはカーテンであることを特徴とする請求項１に記載の複合材。
【請求項４】
前記上層は、薄型フィルム層と抗ＵＶ層とを塗布し、もう一方の面に感光変色染料層を塗布してなることを特徴とする請求項１に記載の複合材。
【請求項５】
前記薄型フィルムが、２軸延伸ポリエチレンテレフタレート・フィルムか、熱可塑性ポリウレタン樹脂フィルムか、延伸ポロテトラルフォロエチレン・フィルムか、熱可塑性エラストマー・フィルムか、ポリウレタン・フィルムか、ポリプロピロピレン・フィルムからなることを特徴とする請求項４に記載の複合材。
【請求項６】
前記感温変色の複合材を具えた構造体が、テント、或いはカーテンであることを特徴とする請求項４に記載の複合材。
【請求項７】
前記紫外線吸収量が０％から１００％になり、テント、或いはカーテンの色の変化量が０％から５０％になる場合、テント、或いはカーテンの色の変化結果は、透明から濃い色になり、紫外線吸収量が１００％から０％になり、テント、或いはカーテンの色の変化量が５０％から１００％になると、テント、或いはカーテンの色の変化結果が濃い色から透明になる構造からなることを特徴とする請求項１、４に記載の複合材。
【考案の詳細な説明】
【技術分野】
【０００１】
この考案は、複合材であって、特に感温変色し、様々な形態に加工することができる複合材に関する。
【背景技術】
【０００２】
一般に、感光変色する塗料を布の表面に部分的に塗布する加工をする業者は、別に熱可塑性ポリウレタン樹脂（ＴＰＵ）の粒子と抗ＵＶ性の粉状塗料を採用し、熱圧加工して薄型フィルムを形成し、前述の両者を貼着加工する。
【０００３】
しかしながら、上述の加工方方法では布面の模様の現れ方に差が生じる。
【０００４】
熱圧加工して形成した薄型フィルムは透明度が好ましくないため、感光変色塗料を布面上に塗布すると、布面のデザインに影響を与え、花柄の透明度が好ましくなくなる。
【考案の開示】
【考案が解決しようとする課題】
【０００５】
この考案は、表面に感光変色塗料を塗布し、テントやカーテンなどを形成することができる複合材を提供することを課題とする。
【課題を解決するための手段】
【０００６】
そこで、本考案者は従来の技術に見られる欠点に鑑みて鋭意研究を重ねた結果、上層と、底層とを含んでなり、
上層は、薄型フィルム層と抗ＵＶ層とを塗布して形成し、
底層は、布と感光変色染料層と、粘着層とを塗布して形成し、
上述の上層と底層とを互いに貼着加工して形成し、感温変色の特性を具えてなり、テント、或いはカーテンを形成することができる感温変色する複合材によって課題を解決できる点に着眼し、かかる知見に基づいて本考案を完成させた。
【０００７】
以下、この考案について具体的に説明する。
請求項１に記載する複合材は、上層と、底層とを含んでなり、
上層は、薄型フィルム層と抗ＵＶ層とを塗布して形成し、
底層は、布と感光変色染料層と、粘着層とを塗布して形成し、
上述の上層と底層とを互いに貼着加工して形成し、感温変色の特性を具えてなり、テント、或いはカーテンを形成することができる感温変色する構造からなる。
【０００８】
請求項２に記載する複合材は、請求項１における薄型フィルムが、２軸延伸ポリエチレンテレフタレート・フィルムか、熱可塑性ポリウレタン樹脂フィルムか、延伸ポロテトラルフォロエチレン・フィルムか、熱可塑性エラストマー・フィルムか、ポリウレタン・フィルムか、ポリプロピロピレン・フィルムからなる。
【０００９】
請求項３に記載する複合材は、請求項１における感温変色の複合材を具えた構造体が、テント、或いはカーテンに応用することができる。
【００１０】
請求項４に記載する複合材は、上層と、底層とを含んでなり、
上層は、薄型フィルム層と抗ＵＶ層とを塗布して形成し、もう一方の面に感光変色染料層を塗布して形成し、
底層は、布と粘着層とを塗布して形成し、
上述の上層と底層とを互いに貼着加工して感温変色の特性を具えてなり、点と、或いはカーテンが感温変色する目的を達成する。
【００１１】
請求項５に記載する複合材は、請求項４における薄型フィルムが、２軸延伸ポリエチレンテレフタレート・フィルムか、熱可塑性ポリウレタン樹脂フィルムか、延伸ポロテトラルフォロエチレン・フィルムか、熱可塑性エラストマー・フィルムか、ポリウレタン・フィルムか、ポリプロピロピレン・フィルムからなる。
【００１２】
請求項６に記載する複合材は、請求項４における請求項☆における感温変色の複合材を具えた構造体が、テント、或いはカーテンに応用することができる。
【００１３】
請求項７に記載する複合材は、請求項１、４における紫外線吸収量が０％から１００％になり、テント、或いはカーテンの色の変化量が０％から５０％になる場合、テント、或いはカーテンの色の変化結果は、透明から濃い色になり、紫外線吸収量が１００％から０％になり、テント、或いはカーテンの色の変化量が５０％から１００％になると、テント、或いはカーテンの色の変化結果が濃い色から透明になる構造からなる。
【考案の効果】
【００１４】
この考案の複合材は、テントやカーテンに応用して紫外線などを避けることができて実用的であるという効果を有する。
【考案を実施するための最良の形態】
【００１５】
この考案は、表面に感光変色塗料を塗布し、テントやカーテンなどを形成することができる複合材であって、上層と、底層とを含んでなり、
上層は、薄型フィルム層と抗ＵＶ層とを塗布して形成し、
底層は、布と感光変色染料層と、粘着層とを塗布して形成し、
上述の上層と底層とを互いに貼着加工して形成し、感温変色の特性を具えてなり、テント、或いはカーテンを形成することができる感温変色する複合材の構造と特徴を詳述するために具体的な実施例を挙げ、図示を参照にして以下に説明する。
【実施例】
【００１６】
図１、図２は、この考案の感温変色の複合材で形成したテント１’、カーテン２’を示したものである。
【００１７】
該テント１’、或いはカーテン２’は感温変色の特性を具えた複合材から形成する。
【００１８】
図２、図３に開示するように、感温変色の複合材は、薄型フィルム層１、６と、抗ＵＶ層２、７と、透明ネット状布３、８と、感温変色染料層４、１０と、粘着層５、９とを組み合わせて形成する。
【００１９】
薄型フィルム層１、６の基本的な材質は２軸延伸ポリエチレンテレフタレート・フィルム、熱可塑性ポリウレタン樹脂フィルム、延伸ポロテトラルフォロエチレン・フィルムと、熱可塑性エラストマー・フィルムと、ポリウレタン・フィルムと、ポリプロピロピレン・フィルムから選択する。
【００２０】
薄型フィルムの厚さは８μから２５μであって、透明のネット状布はナイロンか、或いはポリエステルから選択する。
【００２１】
図３は、感温変色の複合材の構造体Ａの構造を示した説明図である。
【００２２】
薄型フィルム層１は、表層に塗布加工ａで抗ＵＶ層２を塗布して形成した構造体Ａ１を形成する。
【００２３】
透明ネット状布３は、表層に塗布加工ａ１で感温変色染料層４を塗布して構造体Ａ２’を形成する。
【００２４】
構造体Ａ２’は塗布加工ａ２で粘着層５を塗布して構造体Ａ２を形成する。
【００２５】
構造体Ａ２と構造体Ａ１は、貼着加工ｃ１で感温変色の複合材の構造体Ａを形成する。
【００２６】
図４は、感温変色の複合材の構造体Ｂを示した説明図である。
【００２７】
薄型フィルム層６は、表層が塗布加工ｂ１で抗ＵＶ層７を塗布して構造体Ｂ１’を形成する。
【００２８】
構造体Ｂ１’は塗布加工ｂ２と感温変色染料１０で塗布して構造体Ｂ１を形成する。
【００２９】
透明ネット状布８は表層に塗布加工ｂで粘着層９を塗布して構造体Ｂ２を形成する。
【００３０】
構造体Ｂ１と構造体Ｂ２は貼着加工ｃ２で貼着して加工し、感温変色の複合材の構造体Ｂを形成する。
【００３１】
上述の感温変色の複合材の構造体Ａ、Ｂは、感温変色の複合材の構造を具えたテント１’、或いはカーテン２’に応用することができる。
【００３２】
図５は、テント、或いはカーテンの表面の色の変化量（％）と、紫外線吸収量（％）との関係を示したものである。
【００３３】
昼間は紫外線吸収量が０の点Ｃ１にあるため、テント、或いはカーテンの表面の色が透明で点Ｃ１に位置する。
【００３４】
紫外線吸収量が１００％になると、テント、或いはカーテンの色の変化量が５０％になり点Ｃ２に達し、最高吸収量の点Ｃ２になると、テント、或いはカーテンの表面の色が濃くなる。
【００３５】
次第に夜の近づくと点Ｃ２からＣ３になり、紫外線吸収量が最高の１００％から最低の０に達し、テント、或いはカーテンの色の変化量が５０％から１００％になると、テント、或いはカーテンの表面の色が濃い色の点Ｃ２から透明の点Ｃ３へと変化する。
【００３６】
ネット状の透明なナイロン製布（２５０Ｄ）を採用し、抗ＵＶのポリエステル薄型フィルム（１２μ）と感温変色染料（ＧＲＡＣＥの商品の緑色を採用）を塗布する。
【００３７】
１５ｇ/ｍ２の塗布量でネット状の透明なナイロン布に感温変色の染料を塗布する。
【００３８】
感温変色の染料（まだ紫外線を吸収していないため緑色である）の塗布層が０．５ｍｍになったら乾燥させて巻き取り、再度表面の粘着層を塗布加工する。
【００３９】
次にポリエステル薄型フィルム（１２μ）を採用して粘着層を具えたネット状の透明なナイロンを布を貼着して加工する。
【００４０】
製品は後工程で裁断されて感温変色の複合材を具えたテント、或いはカーテンになる。
【００４１】
テント、或いはカーテンの表面の色の変化の参考数値を表１に示す。
【００４２】
【表１】
0003169072.tif 000003
【００４３】
紫外線吸収量が０％から１００％になると、テント、或いはカーテンの色の変化量が０％から５０％になり、テント、或いはカーテンの色の変化の結果が透明から濃い色（緑色）になる。
【００４４】
紫外線吸収量が１００％から０％になると、テント、或いはカーテンの色の変化量が５０％から１００％になり、テント、或いはカーテンの色の変化結果が濃い（緑色）から透明になる。
【００４５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４６】
【図１】この考案の複合材の実施形態を示した説明図である。
【図２】この考案の複合材の他の実施形態を示した説明図である。
【図３】この考案の複合材の構造を示した説明図である。
【図４】この考案の複合材の他の構造を示した説明図である。
【図５】この考案の複合材で形成したテント、の表面の色の変化量（％）と紫外線吸収量（％）との関係を示したグラフである。
【符号の説明】
【００４７】
１、６       薄型フィルム層
１’         テント
２’         カーテン
２、７       抗ＵＶ層
３、８       透明ネット状布
４、１０     感温変色染料層
５、９       粘着層
ａ、ａ１、ａ２、ｂ、ｂ１、ｂ２       塗布加工
ｃ１、ｃ２   貼着加工
Ａ、Ｂ       感温変色の複合材の構造体
Ａ１、Ａ２、Ａ２’、Ｂ１、Ｂ１’、Ｂ２ 構造体
【図１】
0003169072.tif 000004
【図２】
0003169072.tif 000005
【図３】
0003169072.tif 000006
【図４】
0003169072.tif 000007
【図５】
0003169072.tif 000008
【手続補正書】
【提出日】平成23年5月18日(2011.5.18)
【手続補正１】
【補正対象書類名】実用新案登録請求の範囲
【補正対象項目名】全文
【補正方法】変更
【補正の内容】
【実用新案登録請求の範囲】
【請求項１】
上層と、底層とを含んでなり、
上層は、薄型フィルム層に抗ＵＶ層を塗布し、
底層は、布に感光変色染料層と粘着層を塗布し、
上述の上層と底層とを互いに貼着加工し、感温変色することを特徴とする複合材。
【請求項２】
前記薄型フィルムが、２軸延伸ポリエチレンテレフタレート・フィルムか、熱可塑性ポリウレタン樹脂フィルムか、延伸ポロテトラルフォロエチレン・フィルムか、熱可塑性エラストマー・フィルムか、ポリウレタン・フィルムか、ポリプロピロピレン・フィルムからなることを特徴とする請求項１に記載の複合材。
【請求項３】
前記感温変色の複合材を具えた構造体が、テント、或いはカーテンであることを特徴とする請求項１に記載の複合材。
【請求項４】
前記上層は、薄型フィルム層に抗ＵＶ層を塗布し、もう一方の面に感光変色染料層を塗布してなることを特徴とする請求項１に記載の複合材。
【請求項５】
前記薄型フィルムが、２軸延伸ポリエチレンテレフタレート・フィルムか、熱可塑性ポリウレタン樹脂フィルムか、延伸ポロテトラルフォロエチレン・フィルムか、熱可塑性エラストマー・フィルムか、ポリウレタン・フィルムか、ポリプロピロピレン・フィルムからなることを特徴とする請求項４に記載の複合材。
【請求項６】
前記感温変色の複合材を具えた構造体が、テント、或いはカーテンであることを特徴とする請求項４に記載の複合材。
【請求項７】
前記紫外線吸収量が０％から１００％になり、テント、或いはカーテンの色の変化量が０％から５０％になる場合、テント、或いはカーテンの色の変化結果は、透明から濃い色になり、紫外線吸収量が１００％から０％になり、テント、或いはカーテンの色の変化量が５０％から１００％になると、テント、或いはカーテンの色の変化結果が濃い色から透明になる構造からなることを特徴とする請求項１または４に記載の複合材。